(57)【要約】【課題】表示装置の高精細化を実現しつつ、ＣＰＵのパフォーマンス低下を抑制可能な携帯端末装置を提供する。【解決手段】本発明にかかる携帯端末装置は、画像データを記憶するメモリと、前記メモリから読み出した画像データが入力され、画像を表示する表示部と、前記メモリからの画像データの読み出しおよび前記表示部を制御する制御部と、を備え、前記メモリと前記表示部を別のインターフェースで前記制御部に接続することを特徴とする。【選択図】  図１
2005025582.tif 000002
【特許請求の範囲】
【請求項１】
画像データを記憶するメモリと、
前記メモリから読み出した画像データが入力され、画像を表示する表示部と、前記メモリからの画像データの読み出しおよび前記表示部を制御する制御部と、を備え、前記メモリと前記表示部を別のインターフェースで前記制御部に接続することを特徴とする携帯端末装置。
【請求項２】
前記表示部は、前記メモリから入力された画像データを記憶する記憶部を備えていることを特徴とする請求項１に記載の携帯端末装置。
【請求項３】
ＣＰＵを有する第１の筐体と、前記ＣＰＵによって生成された画像または文字を表示する表示装置を有する第２の筐体と、前記第１の筐体と前記第２の筐体を連結する連結部材を有し、前記表示装置に表示する情報の一部または全てを筐体外部に取り出す端子を設けたことを特徴とする携帯端末装置。
【請求項４】
前記表示装置と、前記端子からの信号出力を同時に行えることを特徴とする請求項３に記載の携帯端末装置。
【請求項５】
前記端子から出力される信号は画像信号であって、前記表示装置に表示させる画素数と、前記端子から出力する画像信号の画角が異なることを特徴とする請求項３に記載の携帯端末装置。
【請求項６】
前記表示装置に表示させる画像は前記端子から出力する画像信号の一部であることを特徴とする請求項３に記載の携帯端末装置。
【請求項７】
前記表示装置に表示させる画像は前記端子から出力する画像信号の一部の拡大画像であることを特徴とする請求項３に記載の携帯端末装置。
【請求項８】
前記表示装置には文字または図形を表示させ、前記端子からはテレビ表示用の画像信号を出力することを特徴とする請求項３に記載の携帯端末装置。
【請求項９】
前記携帯端末装置に電源を供給するクレードルに接続されたとき、前記ＣＰＵの動作速度を高速化することを特徴とする請求項３に記載の携帯端末装置。
【請求項１０】
携帯端末装置から出力される信号を入力する入力部と、前記入力部に入力された信号をテレビ信号に変換して出力するビデオ回路と、前記ビデオ回路に電源を供給する電源回路を有することを特徴とするクレードル。
【請求項１１】
ＣＰＵを有する第１の筐体と、前記ＣＰＵによって生成された画像または文字を表示する第１の表示装置を有する第２の筐体と、前記ＣＰＵによって生成された画像または文字を表示する第２の表示装置を有する第３の筐体と、前記第１の筐体と第２の筐体を連結する第１の連結部材と、前記第１の筐体または前記第２の筐体と前記第３の筐体を連結する第２の連結部材を備え、
前記第１の表示装置と第２の表示装置は同一方向から観視可能であることを特徴とする携帯端末装置。
【請求項１２】
前記第１の表示装置は画像または図形を主に表示し、前記第２の表示装置は文字を主に表示することを特徴とする請求項１１に記載の携帯端末装置。
【請求項１３】
前記第１の表示装置は画像または図形を主に表示し、前記第２の表示装置は前記第１の表示装置の表示内容の拡大または縮小画像を表示することを特徴とする請求項１１に記載の携帯端末装置。
【請求項１４】
ＣＰＵと、前記ＣＰＵによって生成された画像または文字を表示する表示装置と、カメラとを有し、前記表示装置と前記カメラとを共通インターフェースを介して、前記ＣＰＵに接続することを特徴とする携帯端末装置。
【請求項１５】
音声信号または画像信号を含む信号を送信あるいは受信する送受信手段と、前記送受信手段により受信した信号を復号する復号処理手段と、前記送受信手段に送信する信号を符号化する復号処理手段と、前記送受信手段と前記復号処理手段を制御する制御回路と、前記制御回路の表示装置と、前記制御回路のプログラム及び、前記表示装置の画像データを記録するメモリと、を有し、前記メモリと前記表示装置を別系統のインターフェースで前記制御回路に接続したことを特徴とする携帯端末装置。
【請求項１６】
前記表示装置は表示画像データを保持するメモリを有することを特徴とする請求項１５に記載の携帯端末装置。
【発明の詳細な説明】
【０００１】
【発明の属する技術分野】
本発明は、音声およびデータにより通信を行う携帯端末装置に関する。
【０００２】
【従来の技術】
プログラムを格納するメモリと、プログラムの実行に必要なデータやプログラムを確認するデータ格納用メモリと表示部とを同一のバスに接続した携帯情報端末装置がある（特許文献１参照）。
【０００３】
【特許文献１】
特開平１１−２０２９９０号公報（第３頁、第１図）
【０００４】
【発明が解決しようとする課題】
上記従来技術では、メモリと表示部が同一バスに接続しているため、プログラム処理と表示部への画像データ転送を同時に行うことができない。そのため、表示装置の高画質化要求に応じて高精細化しようとすると、転送する画像データ量が増加し、ＣＰＵでのプログラム処理に必要なメモリアクセスが制限されるため、プログラムをＣＰＵに送ることができず、ＣＰＵの処理効率が低下してしまい、携帯端末装置の性能が低下してしまうという問題が発生する。
【０００５】
【課題を解決するための手段】
上記問題点を解決するため本発明にかかる携帯端末装置は、画像データを記憶するメモリと、前記メモリから読み出した画像データが入力され、画像を表示する表示部と、前記メモリからの画像データの読み出しおよび前記表示部を制御する制御部と、を備え、前記メモリと前記表示部を別のインターフェースで前記制御部に接続することを特徴とする。
【０００６】
【発明の実施の形態】
図１は、第１の実施形態に係る携帯電話の構成を示すブロック図である。以下、各部の動作を説明する。
【０００７】
アンテナ１は、空中を伝送されてきた電波を受信し、高周波電気信号に変換し、無線回路２に入力する。また、アンテナ１は、無線回路２から出力された高周波電気信号を電波に変換し、送信する。無線回路２は、ＣＰＵ１０の指示に基づき、アンテナ１から出力された高周波電気信号を復調し、符号復号処理回路３に入力する。また、無線回路２は、符号復号処理回路３の出力信号に変調処理を施し、高周波電気信号に変換してアンテナ１に入力する。
【０００８】
符号復号処理回路３は、ＣＰＵ１０の制御に従って無線回路２の出力信号に復号処理を施し、音声データはレシーバ５に出力し、文字や画像データはＣＰＵ１０に出力する。また、符号復号処理回路３は、マイク４から入力されたユーザーの声や、ユーザーのキー８操作によりキーインターフェース８１を介して入力された文字や画像データを符号化処理を施し、無線回路２を通じてアンテナ１から送信する。
【０００９】
ＤＡＣ（Ｄｉｇｉｔａｌ  ｔｏ  Ａｎａｌｏｇ  Ｃｏｎｖｅｒｔｅｒ）１１１は、オーディオインターフェース１１０を介してＣＰＵ１０から入力されたディジタル音声信号をアナログ信号に変換し、オーディオ出力端子１１２に出力する。
【００１０】
ＣＰＵ１０は、メモリバスインターフェース７１を介してメモリ７から読み出したプログラムに従って、携帯電話の各構成を制御する。例えば、ＣＰＵ１０は、符号復号処理回路３、無線回路２及びアンテナ１を使用して着信待ちを行い、着信があった場合はスピーカ１１からアラーム等の着信音またはメロディを発してユーザーに着信があったことを通知する。また、発信元の電話番号または電子メールアドレス等のメインＬＣＤ（Ｌｉｑｕｉｄ  Ｃｒｙｓｔａｌ  Ｄｉｓｐｌａｙ）６に表示する画像データ生成し、メモリ７に格納する。
【００１１】
ＤＭＡＣ（Ｄｉｒｅｃｔ  Ｍｅｍｏｒｙ  Ａｃｃｅｓｓ  Ｃｏｎｔｒｏｌｌｅｒ）１０１は、メモリ７のメインＬＣＤ用描画バッファエリアに格納した画像データを、ＬＣＤコントローラ６２を経由して、画像メモリ６１に転送する。画像メモリ６１が記憶することができる画像データの画素数は、メインＬＣＤ６の画素数に一致しているものとする。ＬＣＤコントローラ６２は該画像メモリ６１から画像データを読み出し、内部で生成した水平及び、垂直の同期信号及び、ドットクロック等のタイミング信号と共にメインＬＣＤパネル６３に供給する。メインＬＣＤパネル６３は入力されたタイミング信号に基づいて画像データを所定の画素に書き込むことで画像表示が可能となる。
【００１２】
本実施形態では、図１に示すように、メモリ７やＬＣＤ６等はメモリバスインターフェース７１やＬＣＤインターフェース６０により、それぞれＣＰＵ１０に接続されている。そのため、例えばＤＭＡＣ１０１からＬＣＤ６への画像データの転送と、メモリ７からのプログラムの読み出しを並行して行うことができる。
【００１３】
また、液晶表示装置の場合、表示する画像が動画か静止画かに係わらず、６０Ｈｚ〜９０Ｈｚの周波数でメインＬＣＤ６３の画像の書き換えを行う必要がある。そのため、ＶＲＡＭ６１がない場合、絶え間なくメモリ７から画像データを読み出し、メモリバスインターフェース７１、ＬＣＤインターフェース６０を介して転送しなければならない。メインＬＣＤ６３への表示とともに、メモリ７からＣＰＵ１０での処理のためのプログラム読み出しを行っている場合、メモリバスインターフェース７１の画像データ読出による占有率が増加すると、プログラムの読み出しが低下し、ＣＰＵの処理速度が遅くなってしまうという問題がある。メインＬＣＤ６３の画素数が増加して画像データ量が増えた場合には、さらにプログラムの読み出しが低下し、ＣＰＵの処理速度に大きな影響を与えることになる。
【００１４】
本実施形態では、ＶＲＡＭ６１を備えているため、コンテンツのコマ数、例えば動画の場合で約１５Ｈｚの周波数でメモリ７から読み出せばよいため、メモリ７からの画像データ読み出し頻度を大幅に低減することができる。そのため、メインＬＣＤ６３の画素数が増加した場合であっても、ＣＰＵの処理速度の低下を抑制することができる。
【００１５】
また、ＣＰＵ１０は、メモリ７に設けたＮＴＳＣ出力用の描画バッファエリアにも画像を生成する。ＮＴＳＣ出力用の描画バッファエリアのサイズは、ＮＴＳＣに相当する画素数として横７２０ドット、縦４８０ドット設けたものとする。ＤＭＡＣ１０１は、メモリ７のＮＴＳＣ出力用描画バッファエリアの画像データをＮＴＳＣエンコ−ダー９内の画像メモリ９１に転送する。ＮＴＳＣエンコーダー９は、画像メモリ９１のＮＴＳＣ出力用描画バッファに格納した画像データからＮＴＳＣ方式に準拠した画像信号を生成し、ＮＴＳＣビデオ出力端子９２に出力する。よって、ＮＴＳＣビデオ出力端子９２及び、オーディオ出力端子１１２を、外部のテレビに接続することにより、ＮＴＳＣ出力用描画バッファに格納した画像データやオーディオデータを外部のテレビで再生することが可能である。
【００１６】
ここで、ＮＴＳＣ方式の場合、画像メモリ９１からの画像データの読み出しは、６０Ｈｚの周波数で絶え間なく実施する必要があるのに対し、画像メモリ９１への書き込みは動画表示時で約１５Ｈｚ、静止画を表示する場合は１つの静止画を表示している限りは不要である。本実施形態のように、画像メモリ９１を設けることにより、メモリ７からの画像データ読み出し頻度を大幅に低減し、プログラム実行のためのＣＰＵ１０のメモリ７へのアクセス低下を抑制することができる。また、画像メモリを携帯電話側に備えていることにより、接続するテレビの種類に係わらず、メモリバスインターフェース７１の画像データ占有率を抑制することができる。なお、本実施形態では、ＮＴＳＣエンコーダー９を用いたが、これは一例であって、他のテレビ放送方式に対応するエンコーダーを用いても良い。
【００１７】
以上説明したように、画像メモリ６１及び９１を設けることによりメモリ７から画像データを読み出す頻度を低下させることができるため、高精細な液晶表示装置を搭載した場合であっても、ＣＰＵの処理速度低下を抑制することができる。例えば、ＣＰＵでの処理負担が大きなゲームを行う場合であっても、ゲーム途中で処理が止まってしまうことなく、高精細な表示装置を見ながらゲームを楽しむことができ、ユーザーの使い勝手を向上することができる。
【００１８】
図１に示した携帯電話と家庭用テレビとの接続形態を図２に示す。携帯電話は、上側筐体１２１とヒンジ１２２、下側筐体１２３で構成された折畳式になっている。図１と同一部分には同一符号を付し、重複する説明は省略する。テレビ１５は、ＮＴＳＣ方式のビデオ入力端子１５１、オーディオ入力端子１５２を備えている。
【００１９】
例えば、メインＬＣＤ６の画素数は横方向が２４０ドット、縦方向が３２０ドットであり、テレビ１５は横方向が１２８０ドット、縦方向が７６８ドットとする。このように、携帯電話のメインＬＣＤ６とテレビ１５の画素数及び、縦横比が異なる場合に、メインＬＣＤ６とテレビ１５に画像を表示する表示例について説明する。
【００２０】
図３はメインＬＣＤ６とテレビ１５両方に文字を表示する場合の例である。例えば、図３（ｄ）に示す様に１行目がＡ１、Ｂ１、Ｃ１、…Ｚ１，２行目がＡ２、Ｂ２、Ｃ２、…Ｚ２のような文字列を表示させる場合、ＣＰＵ１０はメインＬＣＤ６の横方向の画素数と、表示する文字の横方向の画素数から１行に表示することができる横方向の文字数を計算し、Ｄ１まで表示可能という結果が得られた場合には、Ｄ１の後に自動的に改行を挿入した画像をメモリ７のメインＬＣＤ用描画バッファに生成し、メインＬＣＤ６に転送する。これにより、メインＬＣＤ６では図３（ａ）に示すようにＤ１を表示した時点で改行した画像を表示することができる。
【００２１】
これに対して、テレビ１５に表示する場合、ＣＰＵ１０はテレビ１５の横方向に表示可能な画素数と、表示する文字の横方向の画素数から１行に表示することができる横方向の文字数を計算した結果、Ａ１〜Ｚ１までの文字を同一行に表示可能である場合、Ａ１〜Ｚ１までの文字を同一行に並べた画像をメモリ７のＮＴＳＣ出力用描画バッファに生成し、ＮＴＳＣエンコーダー９に転送する。これにより、図３（ｂ）に示すようにＡ１〜Ｚ１までの文字を同一行に表示する。また、ユーザーがメインＬＣＤ６に表示されている画像をそのままテレビ１５に表示することを選択した場合、ＣＰＵ１０でメインＬＣＤ６の表示画像と表示している範囲すなわち、画角が等しくなるような文字の大きさと改行位置を計算して、ＮＴＳＣ出力用描画バッファに表示画像を生成することにより、図３（ｃ）のようにメインＬＣＤ６とテレビ１５の画角を一致させることができる。
【００２２】
図４はメインＬＣＤ６とテレビ１５両方に画像を表示する場合の例であり、（ｄ）はメモリ７に格納されている画像イメージである。メインＬＣＤ６は形状が縦長のため、ＣＰＵ１０でエリア７１の部分を切り出してメインＬＣＤ用描画バッファに書き込むことにより、図４（ａ）に示すように先頭部分の表示が可能である。また、ＣＰＵ１０でエリア７２の部分を切り出してＮＴＳＣ出力用描画バッファに書き込むことにより、図４（ｂ）に示すように先頭車両全体の表示が可能である。また、ユーザーからのスクロールの指示があった場合はエリア７３の部分を切り出してＮＴＳＣ出力用描画バッファに書き込むことにより、図４（ｃ）に示すように車両の連結器部分を表示させても良い。
【００２３】
図５は図４と同様にメインＬＣＤ６とテレビ１５両方に画像を表示する場合の例であり、（ｄ）はメモリ７に格納されている画像イメージである。メインＬＣＤ用描画バッファの対応画素数より少ない画素数のエリア７４の部分を切り出し、メインＬＣＤ用描画バッファの対応画素数と等しくなるように拡大してメインＬＣＤ用描画バッファに書き込むことにより、図５（ａ）に示すようにメインＬＣＤ６にイメージの一部の拡大表示が可能である。
【００２４】
また、イメージの画素数とＮＴＳＣ出力用描画バッファの対応画素数が同じ場合にはイメージ全体をＮＴＳＣ出力用描画バッファに書き込むことによりイメージ全体をテレビ１５に表示することができる。さらに、ユーザーからのスクロール指示により、ＣＰＵ１０でＮＴＳＣ用描画バッファの対応画素数より少ない画素数のエリア７５の部分を切り出し、ＮＴＳＣ用描画バッファの対応画素数と等しくなるように拡大してＮＴＳＣ用描画バッファに書き込むことにより、図５（ｃ）に示すようにテレビ１５にイメージの一部の拡大表示が可能である。
【００２５】
図６は図５と同様にメインＬＣＤ６とテレビ１５両方に画像を表示している場合にメールが着信したときの表示例である。ＣＰＵ１０はメールが着信したことをユーザーに知らせるためのメッセージをメインＬＣＤ用描画バッファのみに書き込むことによりメインＬＣＤ６のみにメッセージを表示することができる。例えば、複数人でテレビ１５に表示した画像を見ている場合であっても、携帯電話の使用者のみにメール受信を通知することができる。
【００２６】
なお、テレビ１５への表示の有無はユーザーが選択できるようにしても良く、その場合はＮＴＳＣ出力用描画バッファにメッセージを書き込むことにより、テレビ１５に表示することができる。テレビ１５を見ていると、メインＬＣＤ６への表示に気が付かないことがあるため、メール受信を見逃したくない場合には、テレビ１５への表示有りを選択することにより、確実にメール受信をユーザに報知することができる。この場合、テレビ１５への表示は、メインＬＣＤ６への表示と同じにする必要はなく、例えば封筒マークや、ユーザが選択したマークや文字を表示するようにしても良い。また、メール受信に限らず、電話着信があった場合に表示を行うようにしても良い。
【００２７】
図７は図６において、メインＬＣＤ６にメール受信通知を表示した後、ユーザーの操作により受信メールを閲覧している場合の例である。ＣＰＵ１０はメールの本文をメインＬＣＤ用描画バッファに書き込み、ＮＴＳＣ出力用描画バッファには画像を書き込むことにより、メインＬＣＤ６にはメールの本文を表示し、テレビ１５には画像を表示することができる。また、ユーザーの選択に応じて、ＮＴＳＣ出力用描画バッファにもメール文を書き込むことにより、図７（ｂ）のようにテレビ画面にもメール文を表示することができる。メールの内容は、携帯電話の使用者だけが確認した場合やテレビを見ている他の人にも見せたい場合がある。本実施形態のように、ユーザーの使用形態に合わせて表示方法を選択可能にすることにより、使い勝手を向上することができる。
【００２８】
本発明による第２の実施形態を図８を用いて説明する。第１の実施形態は、携帯電話から直接テレビ１５に画像信号を出力するのに対し、本実施形態はクレードル１６を介してテレビ１５に表示を行う。第１の実施形態と同一部分には同一符号を付し、重複する説明は省略する。
【００２９】
図８において、プラグ１６７を家庭用コンセントに接続することにより、例えばＡＣ１００Ｖの電源が電源回路１６６に供給される。電源回路１６６は入力された電源からクレードル１６用の電源と、携帯電話用の電源を生成して出力する。クレードル１６は供給された電源で内部回路を動作させる。一方、携帯電話は内部回路を動作させたり、バッテリーを充電させたりする。
【００３０】
携帯電話側のＣＰＵ１０とクレードル１６側のＣＰＵ１６１をインターフェース１６２で接続し、携帯電話側に記録している画像データや音声データを、インターフェース１６２を介してクレードル１６側のＣＰＵ１６１に入力することができる。ＣＰＵ１６１は携帯電話から入力された画像データに、伸張処理を施して画像メモリ１６４に書き込む。ＮＴＳＣエンコーダー１６３は、ＣＰＵ１６１の指示に基づいて水平、垂直の同期信号などのタイミング信号と、画像メモリ１６４から読み出した画像データを基にＮＴＳＣビデオ信号を生成し、テレビ１５のビデオ入力端子１５１に出力する。
【００３１】
一方、ＣＰＵ１６１は携帯電話から取得した音声データをＤＡＣ１６５に出力する。ＤＡＣ１６５は入力された音声データをアナログ信号に変換してテレビ１５のオーディオ入力端子１５２に出力する。
【００３２】
これによって、クレードル１６を経由して携帯電話から入力された画像や音声をテレビ１５で再生することができる。また、クレードル１６に設けたキー１６８を操作し、ＮＴＳＣエンコーダ１６３でＮＴＳＣビデオ信号を生成する際に明るさ、色、表示サイズを調整することにより、テレビ１５の表示画像の明るさ、色などを制御したり、テレビ１５の表示画像の再生、停止を制御するようにしても良い。
【００３３】
本実施形態のように、クレードル１６にＶＲＡＭ１６４を設け、携帯電話から入力されたデータをクレードル１６側で処理することにより、携帯電話側の負担を低減することができる。また、ＣＰＵやインターフェースの動作周波数を上昇させる場合は消費電力が増大するという問題があるが、クレードル１６には電源回路１６６から電力が供給されているため、動作周波数を上げてＣＰＵで生成する画像の画素数やコマ数を増加させ、高品位な画像を表示することができる。本実施形態によれば、例えば高品位の画像表示を希望する場合にはクレードルを使用し、外出先で簡単に画像表示を行いたい場合には直接テレビに接続する等の使い分けをすることができ、ユーザーの使い勝手を向上することができる。
【００３４】
本発明による第３の実施形態を図９を用いて説明する。図１に示した携帯電話とは、サブＬＣＤ１３をＬＣＤインターフェース６０に共通接続する点が異なる。図９において、図１と同一部分には同一符号を付し、重複する説明は省略する。
【００３５】
サブＬＣＤ１３は画像メモリ１３１とＬＣＤコントローラ１３２を備え、メインＬＣＤ６と同様の構成となっている。よって、ＣＰＵ１０からメインＬＣＤ６とサブＬＣＤ１３の両方に画像データを出力することにより、メインＬＣＤ６のみ、またはサブＬＣＤ１３のみ、あるいは両方同時に表示することができる。例えば、携帯電話を閉じているときはメインＬＣＤ６を消灯してサブＬＣＤ１３のみに表示を行い、開いているときはメインＬＣＤ６を点灯させてサブＬＣＤ１３は消灯させる。また、それぞれのＬＣＤは独自の画像メモリ６１及び、１３１を有しているため、同じ画像を表示したり、それぞれ異なる画像を表示することも可能である。
【００３６】
図１０に本実施形態にかかる携帯電話の外観図を示す。図１０に示す携帯電話では、サブＬＣＤ１３を保持する第２の上側筐体１２５を第２のヒンジ１２４を介して第１の上側筐体１２１に接続し、第２のヒンジ１２４の長手方向を回転軸として第２の上側筐体を第１の上側筐体１２１の背面、すなわち、メインＬＣＤ６が実装されていない側に折りたたむことが可能である。このような３つ折りの構成とすることにより、メインＬＣＤ６とサブＬＣＤ１３を同時に同一方向から観視することができるため、例えばアンテナピクト、バッテリー残量表示さらに、文字情報などをサブＬＣＤ１３側に表示し、メインＬＣＤ６の全画面に画像を表示させることができる。
【００３７】
本発明による第４の実施形態を図１１を用いて説明する。図１１は、携帯電話の別の外観図である。図１０と同一部分には同一符号を付し、重複する説明は省略する。図１１に示す実施形態では、第２のヒンジ１２４を第１の上側筐体１２１の側面に配置し、この第２のヒンジ１２４の長手方向を回転軸として第２の上側筐体を第１の上側筐体１２１の背面、すなわち、メインＬＣＤ６が実装されていない側に折りたたむことが可能である。このような３つ折りの構成とすることにより、メインＬＣＤ６とサブＬＣＤ１３を同時に同一方向から観視することができる。また、サブＬＣＤ１３にもメインＬＣＤ６と同等の画像を表示させることができるため、例えば、メインＬＣＤ６に画像、図形の全体像を表示させ、その１部の拡大画像をサブＬＣＤ６０に表示させることが可能である。このように表示を行うことにより、図１１に示すようにメインＬＣＤ６で全体像を把握した上で、サブＬＣＤ６０で詳細な部分を確認することができる。
【００３８】
なお、図１０に示す携帯電話の第２の上側筐体１２５を図１１に示すように第１の上側筐体１２１の下または上に設けても良いし、図１１に示す携帯電話の第２の上側筐体を図１０に示すように第１の上側筐体の横に設けるようにしても良い。また、上述した実施形態では第２のヒンジ１２４及び、第２の上側筐体１２５を第１の上側筐体側に設けた場合の例について述べたが、これに限られるものではなく、下側筐体１２３側に設けるようにしても良い。
【００３９】
本発明による第５の実施形態を図１２を用いて説明する。図１２において、１８はカメラであり、１８１はＣＭＯＳやＣＣＤなどの半導体カメラセンサー、１８２はカメラセンサー１８１の出力にＡＤ変換、γ補正などの振動処理を施し、ＣＰＵ１０とのインターフェースを可能にするカメラＤＳＰである。このカメラＤＳＰ１８２は、メインＬＣＤ６及びサブＬＣＤ１３と同じインターフェースプロトコルに対応しており、メインＬＣＤ６とサブＬＣＤ１３ＬＣＤと共通のインターフェース６０に接続している。ＬＣＤインターフェース６０に接続されたデバイスの識別は、パラレルバス接続であればチップセレクト信号などを用いて行っても良いし、シリアルバス接続ではチップセレクト信号の他、デバイス毎にユニークなアドレスを付けて管理することにより行っても良い。
【００４０】
この構成により、カメラ１８から取り込んだ画像データをＬＣＤインターフェース６０を経由してＣＰＵ１０に取り込むことができる。そして、ＣＰＵ１０でこの画像に圧縮処理を施してメールに添付して送信したり、サーバー上にアップロードすることが可能である。
【００４１】
また、カメラ１８とＬＣＤを別のインターフェースに接続してある場合、撮影画面を決めるのに用いるスルー表示を行う際であっても、カメラセンサー１８１からの出力画像を一端ＣＰＵ１０に入力し、ＣＰＵ１０からＬＣＤに出力しなければならず、ＣＰＵの処理負担が増加するという問題がある。本実施形態では、カメラ１８をメインＬＣＤ６とサブＬＣＤ１３ＬＣＤと共通のインターフェース６０に接続させているため、カメラセンサー１８１の撮影画像をメインＬＣＤ６またはサブＬＣＤ１３に直接送り込んで表示させることができる。また、カメラ画像と文字や他の画像を合わせてＬＣＤに表示する場合であっても、ＣＰＵ１０からは文字や他の画像のみをＬＣＤに出力し、カメラ画像はカメラ１８から直接ＬＣＤに入力することができる。このため、ＣＰＵ１０での処理負荷を低減することができる。
【００４２】
また、ＣＰＵ１０に設けることができる端子数は限られているため、このようにカメラとＬＣＤを共通のインターフェースで接続することにより、端子数を増やすことなく、カメラやＬＣＤの数を増加することができる。
【００４３】
図１３に本実施形態にかかる携帯電話の外観図を示す。ここでは、カメラ１８は上側筐体１２１に実装している場合の例を示しているが、これに限られるものでなく、下側筐体１２３に実装しても良いし、スペースに余裕があれば、ヒンジ１２２に実装しても良い。このように折畳型の携帯電話では、ヒンジ１２２に通すことができるインターフェース数は限られているため、前述のようにカメラとＬＣＤを共通のインターフェースで接続することにより、インターフェース数を増やすことなく、カメラやＬＣＤの数を増加することができる。
【００４４】
図１４にメインＬＣＤ６での表示例を示す。同図において、（ａ）はＣＰＵ１０から送られたアンテナピクトやバッテリー残量表示や、ソフトキーなどの操作用表示などの図形を表示した例、（ｂ）はカメラＤＳＰ１８２から受信したカメラ１８の撮影画像を表示した例、（ｃ）バッテリー残量表示等と撮影画像を同時に表示した例を示している。図１４（ｃ）のように表示する場合は、ＣＰＵ１０からメインＬＣＤ６に入力された表示画像と、カメラ１８から直接メインＬＣＤ６に入力された撮影画像を重ねて表示するように制御する。
【００４５】
なお、ユーザーの選択により、カメラ１８で撮影を行う場合に、ユーザーの選択によりメインＬＣＤ６への表示を図１４（ｂ）あるいは（ｃ）に切替えを行うようにしても良い。図１４（ｃ）のように、画像とともに操作表示を示すことにより、携帯電話でのカメラ撮影方法になれていない人であっても、容易に撮影を行うことができる。一方、操作表示を行うことにより画像を表示するエリアが小さくなってしまうため、携帯電話の扱いになれたユーザーにとっては、これらの表示が邪魔になる場合がある。そこで、本実施形態のように、カメラ撮影時の表示画面をユーザーが選択できるようにすることにより、ユーザーの使い勝手を向上することができる。
【００４６】
本発明を携帯電話に適用した実施形態を用いて説明したが、本発明の適用を携帯電話に限定するものではなく、ＰＤＡ（Ｐｅｒｓｏｎａｌ  Ｄｉｇｉｔａｌ  Ａｓｓｉｓｔａｎｃｅ）等の他の携帯端末装置に用いても良い。また、説明を分り易くするために詳細な具体例を用いて説明したが、これらは単に例に過ぎず、本発明の範囲を限定するものではない。例えば、表示装置としては液晶以外のデバイスを使用しても良いし、表示例においては画像を表示する場合の例を示したが、文字や図形、アイコンなどでも良い。また、ＲＳ２３２Ｃインターフェースに限られるものではなく、２線式あるいは３線式のシリアルインターフェースでも良いし、パラレルバスインターフェースでも良く、インターフェースを制限されるものではない。また、上記で説明した実施形態は組み合わせて実施しても良い。
【００４７】
【発明の効果】
本発明によれば、高性能な携帯端末装置を提供することができる。
【図面の簡単な説明】
【図１】携帯電話の構成を示す図である。
【図２】携帯電話と家庭用テレビとの接続形態を示す図である。
【図３】携帯電話と家庭用テレビでの表示例を示す図である。
【図４】携帯電話と家庭用テレビでの表示例を示す図である。
【図５】携帯電話と家庭用テレビでの表示例を示す図である。
【図６】携帯電話と家庭用テレビでの表示例を示す図である。
【図７】携帯電話と家庭用テレビでの表示例を示す図である。
【図８】携帯電話とクレードル、家庭用テレビとの接続形態を示す図である。
【図９】携帯電話の構成を示す図である。
【図１０】携帯電話の外観図である。
【図１１】携帯電話の外観図である。
【図１２】携帯電話の構成を示す図である。
【図１３】携帯電話の外観図である。
【図１４】携帯電話での表示例を示す図である。
【符号の説明】
１…アンテナ、２…無線回路、３…符号復号処理回路、４…マイク、５…レシーバ、６…メインＬＣＤ、６０…ＬＣＤインターフェース、６１，１６４…画像メモリ、６２…ＬＣＤコントローラ、６３…メインＬＣＤパネル、７…メモリ、７１…メモリバス、８，１６８…キー、８１…キーインターフェース、９，１６３…ＮＴＳＣエンコーダー、９１，１６４…画像メモリ、９２…ビデオ出力端子、１０，１６１…ＣＰＵ、１１…スピーカー、１２１…上側筐体、１２２、１２４…ヒンジ、１２３…下側筐体、１１１，１６５…ＤＡＣ、１５…テレビ、１５１…ビデオ入力端子、１５２…オーディオ入力端子、１６…クレードル、１６１…ＣＰＵ、１６２…ＲＳ２３２Ｃインターフェース、１６６…電源回路、１６７…プラグ、１６８…キー、１３…サブＬＣＤ、１３１…画像メモリ、１３２…ＬＣＤコントローラ、１３３…サブＬＣＤパネル、１８…カメラ、１８１…カメラセンサ、１８２…カメラＤＳＰ
【図１】
2005025582.tif 000003
【図２】
2005025582.tif 000004
【図３】
2005025582.tif 000005
【図４】
2005025582.tif 000006
【図５】
2005025582.tif 000007
【図６】
2005025582.tif 000008
【図７】
2005025582.tif 000009
【図８】
2005025582.tif 000010
【図９】
2005025582.tif 000011
【図１０】
2005025582.tif 000012
【図１１】
2005025582.tif 000013
【図１２】
2005025582.tif 000014
【図１３】
2005025582.tif 000015
【図１４】
2005025582.tif 000016